(57)【要約】【課題】タッチパネル上のユーザによる複数の接触位置を移動させることなく、コンテンツの出力を制御する。【解決手段】撮像装置１００であって、ユーザにより押圧操作されるタッチパネル６ａと、タッチパネル上のユーザにより同時に接触されている複数の接触位置における押圧量をそれぞれ検出する押圧量検出部８ａと、検出された複数の接触位置における押圧量の関係性に基づいて、動画像の再生を制御する再生制御部８ｂと、を備えている。【選択図】図１
2017224220.tif 000002
【特許請求の範囲】
【請求項１】
ユーザにより押圧操作されるタッチパネルと、
前記タッチパネル上のユーザにより同時に接触されている複数の接触位置における押圧量をそれぞれ検出する検出手段と、
前記検出手段により検出された前記複数の接触位置における押圧量の関係性に基づいて、コンテンツの出力を制御する出力制御手段と、
を備えることを特徴とする出力制御装置。
【請求項２】
前記出力制御手段は、前記検出手段により検出された前記複数の接触位置における押圧量の大小関係に基づいて、コンテンツの出力を制御することを特徴とする請求項１に記載の出力制御装置。
【請求項３】
前記出力制御手段は、前記検出手段により検出された前記複数の接触位置における押圧量の差に基づいて、コンテンツの出力を制御することを特徴とする請求項１又は２に記載の出力制御装置。
【請求項４】
前記出力制御手段は、前記検出手段により検出された前記複数の接触位置における押圧量の組み合わせに基づいて、コンテンツの出力を制御することを特徴とする請求項１に記載の出力制御装置。
【請求項５】
前記出力制御手段は、前記検出手段により検出された前記複数の接触位置における押圧量の関係性に基づいて、出力されるコンテンツの送り方向を制御することを特徴とする請求項１〜４の何れか一項に記載の出力制御装置。
【請求項６】
前記出力制御手段は、前記検出手段により検出された前記複数の接触位置における押圧量の関係性に基づいて、出力されるコンテンツの送り速度を制御することを特徴とする請求項１〜４の何れか一項に記載の出力制御装置。
【請求項７】
前記検出手段は、前記タッチパネルがユーザにより接触されている間、前記複数の接触位置における押圧量をそれぞれ逐次検出し、
前記出力制御手段は、前記検出手段により逐次検出される前記複数の接触位置における押圧量の関係性の変化に応じて、コンテンツの出力を逐次制御することを特徴とする請求項１〜６の何れか一項に記載の出力制御装置。
【請求項８】
前記出力制御手段は、更に、
前記タッチパネル上のユーザにより同時に接触されている前記複数の接触位置の関係性に基づいて、コンテンツの出力を制御することを特徴とする請求項１〜７の何れか一項に記載の出力制御装置。
【請求項９】
前記検出手段は、前記タッチパネル上のユーザにより同時に接触されている複数の接触領域とそれぞれ対応付けられている前記複数の接触位置における押圧量を検出することを特徴とする請求項１〜８の何れか一項に記載の出力制御装置。
【請求項１０】
前記検出手段は、前記複数の接触位置における押圧量として、前記タッチパネル上のユーザにより接触されている一の接触領域内における複数の押圧量の分布を検出し、
前記出力制御手段は、前記検出手段により検出された前記一の接触領域内における複数の押圧量の分布に基づいて、コンテンツの出力を制御することを特徴とする請求項１〜８の何れか一項に記載の出力制御装置。
【請求項１１】
ユーザにより押圧操作されるタッチパネルを備える出力制御装置を用いた出力制御方法であって、
前記タッチパネル上のユーザにより同時に接触されている複数の接触位置における押圧量をそれぞれ検出する処理と、
検出された前記複数の接触位置における押圧量の関係性に基づいて、コンテンツの出力を制御する処理と、
を含むことを特徴とする出力制御方法。
【請求項１２】
ユーザにより押圧操作されるタッチパネルを備える出力制御装置のコンピュータに、
前記タッチパネル上のユーザにより同時に接触されている複数の接触位置における押圧量をそれぞれ検出する機能と、
検出された前記複数の接触位置における押圧量の関係性に基づいて、コンテンツの出力を制御する機能と、
を実現させることを特徴とするプログラム。
【発明の詳細な説明】
【技術分野】
【０００１】
本発明は、出力制御装置、出力制御方法及びプログラムに関する。
【背景技術】
【０００２】
従来、ユーザが動画再生における早送り、巻き戻し、スロー再生といった速度調整を行うことができるように操作子を備える表示装置が知られている。しかしながら、操作子は動画像の表示部とは別に設けられており、表示装置の小型化の妨げになるという問題があった。
そこで、タッチパネル上におけるスライド操作の方向と速度とにより、動画像の再生速度を制御する技術（例えば、特許文献１参照）や、ユーザがタッチパネル上の位置と再生速度の関係を識別可能となるように動画像の表示に半透過で複数の再生速度を表示する技術（例えば、特許文献２参照）が開示されている。
【先行技術文献】
【特許文献】
【０００３】
【特許文献１】特開２００４−１０４５９４号公報
【特許文献２】特開２０１０−１７６５７５号公報
【発明の概要】
【発明が解決しようとする課題】
【０００４】
しかしながら、上記特許文献等の場合、スライド操作や画面上のタッチ位置により再生速度を制御しているため、再生速度を変更する場合には、その都度、接触操作を行うための指やペン等を移動させなければならない。また、動画像の再生に限らず、静止画像の画像送りやＷｅｂページの表示スクロールなどでも同様の問題が起こりうる。
【０００５】
本発明は、このような問題に鑑みてなされたものであり、本発明の課題は、タッチパネル上のユーザによる接触位置を移動させることなく、コンテンツの出力を制御することができる出力制御装置、出力制御方法及びプログラムを提供することである。
【課題を解決するための手段】
【０００６】
上記課題を解決するための本発明の一態様は、
出力制御装置であって、
ユーザにより押圧操作されるタッチパネルと、
前記タッチパネル上のユーザにより同時に接触されている複数の接触位置における押圧量をそれぞれ検出する検出手段と、
前記検出手段により検出された前記複数の接触位置における押圧量の関係性に基づいて、コンテンツの出力を制御する出力制御手段と、
を備えることを特徴としている。
【発明の効果】
【０００７】
本発明によれば、タッチパネル上のユーザによる接触位置を移動させることなく、コンテンツの出力を制御することができる。
【図面の簡単な説明】
【０００８】
【図１】本発明を適用した一実施形態の撮像装置の概略構成を示すブロック図である。
【図２】ユーザによるタッチパネルの接触態様の一例を説明するための図である。
【図３】図１の撮像装置による再生処理に係る動作の一例を示すフローチャートである。
【図４】２つの接触位置における押圧量の組み合わせテーブルの一例を模式的に示す図である。
【図５】ユーザによるタッチパネルの接触態様の一例を説明するための図である。
【発明を実施するための形態】
【０００９】
以下に、本発明について、図面を用いて具体的な態様を説明する。ただし、発明の範囲は、図示例に限定されない。
【００１０】
図１は、本発明を適用した一実施形態の撮像装置１００の概略構成を示すブロック図である。
図１に示すように、本実施形態の撮像装置１００は、具体的には、中央制御部１と、メモリ２と、撮像部３と、画像処理部４と、表示部５と、操作入力部６と、スピーカ部７と、動作処理部８と、画像記録部９とを備えている。
また、中央制御部１、メモリ２、撮像部３、画像処理部４、表示部５、操作入力部６、動作処理部８及び画像記録部９は、バスライン１０を介して接続されている。
【００１１】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１２】
メモリ２は、例えば、ＤＲＡＭ（Dynamic Random Access Memory）等により構成され、中央制御部１、動作処理部８等によって処理されるデータ等を一時的に格納する。
【００１３】
撮像部３は、所定の被写体を任意の撮像フレームレートで撮像してフレーム画像を生成する。具体的には、撮像部３は、レンズ部３ａと、電子撮像部３ｂと、撮像制御部３ｃとを備えている。
【００１４】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
【００１５】
撮像制御部３ｃは、撮像部３による被写体の撮像を制御する。
すなわち、撮像制御部３ｃは、図示は省略するが、タイミング発生器、ドライバなどを備えている。そして、撮像制御部３ｃは、タイミング発生器、ドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から１画面分ずつフレーム画像を読み出して画像処理部４に出力させる。
また、撮像制御部３ｃは、ＡＦ（自動合焦処理）、ＡＥ（自動露出処理）、ＡＷＢ（自動ホワイトバランス）等の被写体を撮像する際の条件の調整制御を行う。
【００１６】
なお、撮像部３は、レンズ部３ａ、電子撮像部３ｂ及び撮像制御部３ｃに加えて、レンズ部３ａを通過する光の量を調整する絞り、ズームレンズを光軸方向に移動させるズーム駆動部、フォーカスレンズを光軸方向に移動させる合焦駆動部等（何れも図示略）を備えていても良い。
【００１７】
画像処理部４は、電子撮像部３ｂから転送されたフレーム画像のアナログ値の信号に対して各種の画像信号処理を施す。具体的には、画像処理部４は、電子撮像部３ｂから転送されたフレーム画像のアナログ値の信号に対してＲＧＢの色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
また、カラープロセス回路から出力される輝度信号Ｙ及び色差信号Ｃｂ，Ｃｒは、図示しないＤＭＡコントローラを介して、バッファメモリとして使用されるメモリ２にＤＭＡ転送される。
【００１８】
表示部５は、表示パネル５ａの表示画面に画像を表示する。
すなわち、表示部５は、画像処理部４により復号された所定サイズの画像データに基づいて、所定の画像を表示パネル５ａの表示画面に表示する。また、表示部５は、後述するように、動作処理部８の再生制御部８ｂの制御下にて、任意の撮像フレームレートで撮影された動画像を所定の再生フレームレート（例えば、30fps）で再生する。
なお、表示パネル５ａは、例えば、液晶表示パネルや有機ＥＬ（Electro-Luminescence）表示パネル等から構成されているが、一例であってこれらに限られるものではない。
【００１９】
操作入力部６は、当該撮像装置１００の所定操作を行うためのものである。具体的には、操作入力部６は、被写体の静止画像の撮像指示や動画像の録画開始指示及び録画終了指示に係るシャッタボタン、撮像モードや再生モードや機能等の選択指示に係る選択決定ボタン、ズーム量の調整指示に係るズームボタン等（何れも図示略）を備えている。
そして、ユーザにより各種ボタンが操作されると、操作入力部６は、操作されたボタンに応じた操作指示を中央制御部１に出力する。中央制御部１は、操作入力部６から出力され入力された操作指示に従って所定の動作（例えば、動画像の再生等）を各部に実行させる。
【００２０】
また、操作入力部６は、表示部５の表示パネル５ａと一体となって設けられたタッチパネル６ａを有している。
タッチパネル６ａは、例えば、静電容量方式、抵抗膜方式等の各種方式により、表示パネル５ａの表示領域をなす表示画面に直接的若しくは間接的に接触するユーザの指（手）やタッチペン等の接触位置のＸＹ座標を検出する。また、タッチパネル６ａは、所謂、押圧量検知型のタッチパネル６ａであり、ユーザによる接触位置における押圧量（荷重）に応じた押圧検出信号（アナログ値）を生成する。
そして、タッチパネル６ａは、接触位置のＸＹ座標に係る位置信号及び押圧検出信号を動作処理部８に出力する。
【００２１】
スピーカ部７は、中央制御部１のＣＰＵの制御下にて、再生される音声付きの動画像の音声データをデータ変換部（図示略）によりＤ／Ａ変換処理して音声を出力する。また、スピーカ部７は、ユーザによる操作入力部６の所定操作に応じて操作音を出力したり、アラーム音を出力したりしても良い。
【００２２】
動作処理部８は、押圧量検出部８ａと、再生制御部８ｂとを具備している。
なお、動作処理部８の各部は、例えば、所定のロジック回路から構成されているが、当該構成は一例であってこれに限られるものではない。
【００２３】
押圧量検出部８ａは、タッチパネル６ａ上のユーザによる接触位置における押圧量を検出する。
すなわち、押圧量検出部（検出手段）８ａは、タッチパネル６ａ上のユーザにより同時に接触されている複数の接触位置における押圧量をそれぞれ検出する。例えば、図２（ａ）等に示すように、ユーザの二本の指（例えば、人差し指と中指等）によりタッチパネル６ａ上の異なる位置が接触され、このとき、押圧量検出部８ａは、タッチパネル６ａから出力されて入力される接触位置のＸＹ座標に係る位置信号及び押圧検出信号に基づいて、各々の接触位置における押圧量を検出する。つまり、タッチパネル６ａ上でユーザにより同時に接触されている接触領域が２つ（複数）ある場合、押圧量検出部８ａは、各接触領域に対応する少なくとも一の押圧検出信号の代表値（例えば、アナログ値の平均値や最大値等）をそれぞれ算出し、各接触領域を接触位置と対応付けて当該接触位置における押圧検出信号とする。
ここで、タッチパネル６ａがユーザにより同時に接触されているとは、少なくともユーザの二本の指がタッチパネル６ａに同時に接触している時間を有していることを言い、例えば、タッチパネル６ａに対するユーザの二本の指の接触の開始タイミングや接触が解除されるタイミングに時間差があっても良い。
具体的には、押圧量検出部８ａは、２つの接触領域の各々と対応付けられている接触位置毎に、押圧検出信号（アナログ値）を複数の閾値を用いて信号レベルを判定し、この判定結果に応じて複数段階（例えば、３段階等）のデジタル値（例えば、押圧量「１」〜「３」等）に変換する。なお、押圧量「１」〜「３」は、数字が大きいほど押圧量（押圧の荷重）が大きいことを表している。
また、押圧量検出部８ａは、変換された２つの接触位置における押圧量を再生制御部８ｂに出力する。
【００２４】
また、押圧量検出部８ａは、タッチパネル６ａがユーザにより接触されている間、複数の接触位置における押圧量をそれぞれ逐次検出する。すなわち、タッチパネル６ａは、ユーザにより接触されている期間に亘って各接触位置における押圧検出信号を逐次出力し、押圧量検出部８ａは、タッチパネル６ａから逐次出力され入力される各接触位置における押圧検出信号に基づいて、各接触位置における押圧量を逐次検出する。
【００２５】
再生制御部８ｂは、表示部５に表示される動画像の再生を制御する。
すなわち、再生制御部８ｂは、例えば、ＶＲＡＭ（Video Random Access Memory）、ＶＲＡＭコントローラ、デジタルビデオエンコーダなど（何れも図示略）を備えている。そして、デジタルビデオエンコーダは、画像処理部４により復号されてＶＲＡＭに記録されている輝度信号Ｙ及び色差信号Ｃｂ，Ｃｒを、ＶＲＡＭコントローラを介してＶＲＡＭから所定の再生フレームレート（例えば、30fps）で読み出して、これらのデータを元にビデオ信号を発生して表示部５の表示パネル５ａに出力する。
また、再生制御部（出力制御手段）８ｂは、押圧量検出部８ａにより検出された複数（２つ）の接触位置における押圧量の関係性に基づいて、動画像（コンテンツ）の出力を制御する。具体的には、再生制御部８ｂは、押圧量検出部８ａにより検出された２つの接触位置における押圧量の差に基づいて、再生される動画像の再生方向（送り方向）を制御したり、再生される動画像の再生速度（送り速度）を制御したりする。なお、動画像の再生速度の制御は、例えば、再生フレームレート及び間引き率のうちの少なくとも一方を変化させることで行われる。これらの再生フレームレートや間引き率の設定は、公知の技術であり、その詳細な説明は省略する。
さらに、再生制御部８ｂは、タッチパネル６ａ上のユーザにより同時に接触されている２つの接触位置の関係性に基づいて、動画像の出力を制御する。具体的には、再生制御部８ｂは、押圧量検出部８ａにより検出された２つの接触位置の関係性に基づいて、再生される動画像の再生速度を制御する。
【００２６】
具体的には、再生制御部８ｂは、押圧量検出部８ａにより押圧量がそれぞれ検出された２つの接触位置の位置信号に基づいて、これらの位置関係が左右（ｘ軸方向）に並んだ関係であるか（図２（ａ）参照）、上下（ｙ軸方向）に並んだ関係であるかを特定する。ここでの位置関係の特定は、例えば、２つの接触位置を結ぶ線分と所定の軸（例えば、ｘ軸、ｙ軸等）とのなす角度が所定の角度範囲内であるか否かに応じて判定される。
また、再生制御部８ｂは、２つの接触位置のうち、何れか一方を基準として、押圧量の差を算出する。例えば、再生制御部８ｂは、２つの接触位置が左右に並んだ関係の場合、右側の接触位置の押圧量から左側の接触位置の押圧量を減算し、一方、２つの接触位置が上下に並んだ関係の場合、上側の接触位置の押圧量から下側の接触位置の押圧量を減算する。
そして、再生制御部８ｂは、算出された押圧量の差の符号が「正」であれば再生方向を順方向とする一方で、算出された押圧量の差の符号が「負」であれば再生方向を逆方向とする。例えば、図２（ｂ）に示すように、右側の接触位置の押圧量よりも左側の接触位置の押圧量が大きいと、算出された押圧量の差の符号が「負」となり再生方向が逆方向となる一方で、図２（ｃ）に示すように、右側の接触位置の押圧量の方が左側の接触位置の押圧量よりも大きいと、算出された押圧量の差の符号が「正」となり再生方向が順方向となる。
さらに、再生制御部８ｂは、２つの接触位置が左右に並んだ位置関係の場合、算出された押圧量の差の大きさ（絶対値）が「１」であれば再生速度を１倍とし（図２（ｂ）及び図２（ｃ）参照）、算出された押圧量の差の大きさが「２」であれば再生速度を２倍とする（図２（ｄ）参照）。また、再生制御部８ｂは、２つの接触位置が上下に並んだ位置関係の場合、算出された押圧量の差の大きさが「１」であれば再生速度を１倍とし、算出された押圧量の差の大きさが「２」であれば再生速度を０．５倍とする。
なお、図２（ｂ）〜図２（ｄ）にあっては、押圧量の大きさを矢印の長さで模式的に表している。
【００２７】
つまり、再生制御部８ｂは、２つの接触位置が左右に並んだ関係の場合、通常の再生速度に対して、所謂、早送りや早戻しの状態となるように動画像の再生を制御可能であり、一方、２つの接触位置が上下に並んだ関係の場合、通常の再生速度に対して、所謂、スロー送りやスロー戻しの状態となるように動画像の再生を制御可能である。
【００２８】
また、再生制御部８ｂは、押圧量検出部８ａにより逐次検出される２つの接触位置における押圧量の関係性の変化に応じて、動画像の再生を逐次制御する。すなわち、ユーザの二本の指によりタッチパネル６ａが同時に接触されている期間に亘って、再生制御部８ｂは、２つの接触位置における押圧量の関係性の変化に応じて、動画像の再生方向を逐次制御したり、再生される動画像の再生速度を逐次制御したりする。
そして、タッチパネル６ａに対するユーザの二本の指の接触が解除されると、再生制御部８ｂは、解除されたタイミングでの２つの接触位置における押圧量の関係性に応じた再生方向や再生速度で動画像の再生を制御する。
なお、タッチパネル６ａに対するユーザの二本の指の接触の解除は、二本の指をほぼ同時に接触解除させる動作、二本の指を時間差を付けて接触解除させる動作、何れか一方の指のみを接触解除させる動作を含む。
【００２９】
画像記録部９は、例えば、不揮発性メモリ（フラッシュメモリ）等により構成され、画像処理部４の符号化部（図示略）により所定の圧縮形式で符号化された動画像や静止画像の記録用の画像データを記録する。
動画像のファイル形式の一例としては、例えば、横縦の画素数が1280×720pixel、撮像フレームレートが30fpsのMOV形式やH.264/AVCに準拠した形式である。また、音声付きの動画像の場合、例えば、音声はIMA-ADPCM形式（ステレオ音声）で符号化されている。
【００３０】
なお、画像記録部９に記録されている画像データは、当該撮像装置１００の撮像部３により撮像され記録されたものであっても良いし、外部の撮像装置（図示略）により撮像された後、当該撮像装置１００に転送されて画像記録部９に記録されたものであっても良い。
また、画像記録部９は、例えば、記録媒体（図示略）が着脱自在に構成され、装着された記録媒体からのデータの読み出しや記録媒体に対するデータの書き込みを制御する構成であっても良い。
【００３１】
＜再生処理＞
次に、撮像装置１００による再生処理について、図３を参照して説明する。
図３は、再生処理に係る動作の一例を示すフローチャートである。
【００３２】
図３に示すように、先ず、画像記録部９に記録されている動画像のうち、ユーザによる操作入力部６の所定操作に基づいて再生対象となる動画像が指定されると、画像処理部４は、指定された動画像を画像記録部９から読み出して符号化形式に応じて復号して、再生制御部８ｂは、画像処理部４により復号された再生対象の動画像を構成する複数のフレーム画像を表示部５に出力して、表示パネル５ａ上で動画像を通常の再生速度で再生させる（ステップＳ１）。
なお、画像処理部４は、例えば、再生対象の動画像を構成する複数のフレーム画像のうち、所定時間分のフレーム画像の復号処理を事前に行って所定の格納手段（例えば、メモリ２等）に格納しておくことで、再生制御部８ｂから指示されたフレーム画像を即座に表示パネル５ａに表示可能となっている。
【００３３】
次に、押圧量検出部８ａは、ユーザによってタッチパネル６ａ上の２つの位置が同時に接触されたか否かを判定する（ステップＳ２）。具体的には、押圧量検出部８ａは、ユーザによりタッチパネル６ａが接触されることで当該タッチパネル６ａから出力される接触位置のＸＹ座標に係る位置信号及び押圧検出信号の入力に基づいて、上記の判定を行う。
ここで、タッチパネル６ａ上の２つの位置が同時に接触されていないと判定されると（ステップＳ２；ＮＯ）、押圧量検出部８ａは、ユーザによってタッチパネル６ａ上の２つの位置が同時に接触されたか否かを判定する処理を所定の時間間隔で繰り返し実行する。
【００３４】
ステップＳ２にて、タッチパネル６ａ上の２つの位置が同時に接触されたと判定されると（ステップＳ２；ＹＥＳ）、再生制御部８ｂは、ユーザによってタッチパネル６ａ上の２つの位置が同時に接触された時点で表示パネル５ａに表示されているフレーム画像を表示させたまま当該動画像の再生を一時停止させる（ステップＳ３）。続けて、押圧量検出部８ａは、タッチパネル６ａから出力され入力された接触位置のＸＹ座標に係る位置信号及び押圧検出信号に基づいて、２つの接触位置における押圧量（例えば、押圧量「１」〜「３」等）をそれぞれ検出して、再生制御部８ｂに出力する（ステップＳ４）。
【００３５】
再生制御部８ｂは、押圧量検出部８ａにより押圧量がそれぞれ検出された２つの接触位置の位置信号に基づいて、これら２つの接触位置の位置関係（例えば、左右に並んだ位置関係等）を特定する（ステップＳ５）。また、再生制御部８ｂは、特定された２つの接触位置の位置関係に基づいて、何れか一方の接触位置（例えば、右側の接触位置等）を基準として押圧量の差を算出する（ステップＳ６）。次に、再生制御部８ｂは、算出された押圧量の差の正負の符号に応じて、再生方向（例えば、符号が「正」であれば順方向等）を特定する（ステップＳ７）。続けて、再生制御部８ｂは、算出された押圧量の差の大きさ（絶対値）に応じて、再生速度（例えば、押圧量の差の大きさが「２」であれば再生速度を２倍等）を特定する（ステップＳ８）。
そして、再生制御部８ｂは、特定された再生方向及び再生速度となるように、再生フレームレートや間引き率を制御して動画像を再生させる（ステップＳ９）。
【００３６】
その後、押圧量検出部８ａは、ユーザによるタッチパネル６ａ上の２つの接触位置の接触が解除されたか否かを判定する（ステップＳ１０）。この判定は、上記したステップＳ２における判定と同様に、タッチパネル６ａから出力される接触位置のＸＹ座標に係る位置信号及び押圧検出信号の入力に基づいて行われる。
ここで、タッチパネル６ａ上の２つの接触位置の接触が解除されていないと判定されると（ステップＳ１０；ＮＯ）、押圧量検出部８ａは、処理をステップＳ４に戻し、上記と同様に、２つの接触位置における押圧量（例えば、押圧量「１」〜「３」等）をそれぞれ検出して、再生制御部８ｂに出力する（ステップＳ４）。その後、再生制御部８ｂは、上記と同様に、ステップＳ５〜Ｓ９の処理を行って、押圧量検出部８ａにより逐次検出される２つの接触位置における押圧量の関係性の変化に応じて、動画像の再生方向及び再生速度を逐次制御する。
【００３７】
一方、ステップＳ１０にて、タッチパネル６ａ上の２つの接触位置の接触が解除されたと判定されると（ステップＳ１０；ＹＥＳ）、再生制御部８ｂは、接触が解除されたタイミングでの２つの接触位置における押圧量の関係性に応じた再生方向及び再生速度を維持したまま動画像を再生させる（ステップＳ１１）。
【００３８】
以上のように、本実施形態の撮像装置１００によれば、タッチパネル６ａ上のユーザにより同時に接触されている複数の接触位置、例えば、ユーザの二本の指により接触されている２つの接触領域に対応する２つの接触位置等における押圧量の関係性に基づいて、動画像の再生（コンテンツの出力）を制御するので、例えば、動画像の再生方向や再生速度を変更したい場合等に、タッチパネル６ａ上のユーザによる接触位置を移動させることなく、動画像の再生を制御することができる。
【００３９】
また、タッチパネル６ａ上の複数の接触位置における押圧量の差に基づいて、動画像の再生を制御するので、例えば、動画像の再生方向や再生速度を変更したい場合等に、タッチパネル６ａ上のユーザによる接触位置を移動させることなく、ユーザがタッチパネル６ａ上の複数の接触位置における押圧の荷重を調整するだけで、動画像の再生方向や再生速度を容易に変更することができる。特に、タッチパネル６ａ上のユーザによる接触位置を移動させる必要がないため、表示パネル５ａ上で再生される動画像の表示が妨げられることがなくなり、ユーザが動画像を見ながら直感的な操作で再生方向や再生速度を変更することができる。
さらに、タッチパネル６ａがユーザにより接触されている間であれば、タッチパネル６ａ上の複数の接触位置における押圧量をそれぞれ逐次検出して、逐次検出される複数の接触位置における押圧量の関係性の変化に応じて、動画像の再生方向や再生速度を逐次変更することができる。
【００４０】
また、タッチパネル６ａ上のユーザにより同時に接触されている複数の接触位置の関係性に基づいて、動画像の再生を制御するので、タッチパネル６ａ上の複数の接触位置の位置関係毎に異なる制御内容を割り当てておくことで、動画像の再生制御の内容をより多彩なものとすることができる。
【００４１】
なお、本発明は、上記実施形態に限定されることなく、本発明の趣旨を逸脱しない範囲において、種々の改良並びに設計の変更を行っても良い。
以下に、本実施形態の撮像装置１００の変形例について説明する。
ここで、以下に説明する以外の点は、上記実施形態の撮像装置１００と略同様の構成及び機能をなし、その具体的な説明は省略する。
【００４２】
＜変形例１＞
以下に、撮像装置１００の変形例１について説明する。
変形例１では、再生制御部８ｂは、複数（２つ）の接触位置における押圧量の組み合わせに基づいて、動画像（コンテンツ）の出力を制御する。具体的には、再生制御部８ｂは、再生処理にて、タッチパネル６ａ上のユーザにより同時に接触されている２つの接触位置における押圧量の組み合わせテーブル（図４（ａ）及び図４（ｂ）参照）を用いて、動画像の再生方向及び再生速度を制御する。
【００４３】
図４（ａ）は、２つの接触位置が左右に並んだ位置関係の場合に用いられる押圧量の組み合わせテーブル＜左右＞の一例を模式的に示している。
この組み合わせテーブル＜左右＞は、通常の再生速度に対して、所謂、早送りや早戻しの状態となるように動画像の再生を制御する際に用いられ、具体的には、右側の接触位置の押圧量「１」〜「３」と、左側の接触位置の押圧量「１」〜「３」と、動画像の制御内容（例えば、再生方向及び再生速度）とが対応付けられている。
例えば、右側の接触位置の押圧量が「１」、且つ、左側の接触位置の押圧量が「１」の場合、動画像の制御内容は、動画像の再生を一時的に停止する「一時停止」である。また、右側の接触位置の押圧量が「１」、且つ、左側の接触位置の押圧量が「２」の場合、動画像の制御内容は、動画像の再生方向を逆方向とするとともに再生速度を１倍とする「逆方向１倍速」である。また、右側の接触位置の押圧量が「１」、且つ、左側の接触位置の押圧量が「３」の場合、動画像の制御内容は、動画像の再生方向を逆方向とするとともに再生速度を２倍とする「逆方向２倍速」である。
また、右側の接触位置の押圧量が「２」、且つ、左側の接触位置の押圧量が「１」の場合、動画像の制御内容は、動画像の再生方向を順方向とするとともに再生速度を１倍とする「順方向１倍速」である。また、右側の接触位置の押圧量が「２」、且つ、左側の接触位置の押圧量が「２」の場合、動画像の制御内容は、動画像の再生を一時的に停止する「一時停止」である。また、右側の接触位置の押圧量が「２」、且つ、左側の接触位置の押圧量が「３」の場合、動画像の制御内容は、動画像の再生方向を逆方向とするとともに再生速度を１倍とする「逆方向１倍速」である。
また、右側の接触位置の押圧量が「３」、且つ、左側の接触位置の押圧量が「１」の場合、動画像の制御内容は、動画像の再生方向を順方向とするとともに再生速度を２倍とする「順方向２倍速」である。また、右側の接触位置の押圧量が「３」、且つ、左側の接触位置の押圧量が「２」の場合、動画像の制御内容は、動画像の再生方向を順方向とするとともに再生速度を１倍とする「順方向１倍速」である。また、右側の接触位置の押圧量が「３」、且つ、左側の接触位置の押圧量が「３」の場合、動画像の制御内容は、動画像の再生を一時的に停止する「一時停止」である。
【００４４】
また、図４（ｂ）は、２つの接触位置が上下に並んだ位置関係の場合に用いられる押圧量の組み合わせテーブル＜上下＞の一例を模式的に示している。
この組み合わせテーブル＜上下＞は、通常の再生速度に対して、所謂、スロー送りやスロー戻しの状態となるように動画像の再生を制御する際に用いられ、具体的には、上側の接触位置の押圧量「１」〜「３」と、下側の接触位置の押圧量「１」〜「３」と、動画像の制御内容（例えば、再生方向及び再生速度）とが対応付けられている。
例えば、上側の接触位置の押圧量が「１」、且つ、下側の接触位置の押圧量が「１」の場合、動画像の制御内容は、動画像の再生を一時的に停止する「一時停止」である。また、上側の接触位置の押圧量が「１」、且つ、下側の接触位置の押圧量が「２」の場合、動画像の制御内容は、動画像の再生方向を逆方向とするとともに再生速度を１倍とする「逆方向１倍速」である。また、上側の接触位置の押圧量が「１」、且つ、下側の接触位置の押圧量が「３」の場合、動画像の制御内容は、動画像の再生方向を逆方向とするとともに再生速度を０．５倍とする「逆方向０．５倍速」である。
また、上側の接触位置の押圧量が「２」、且つ、下側の接触位置の押圧量が「１」の場合、動画像の制御内容は、動画像の再生方向を順方向とするとともに再生速度を１倍とする「順方向１倍速」である。また、上側の接触位置の押圧量が「２」、且つ、下側の接触位置の押圧量が「２」の場合、動画像の制御内容は、動画像の再生を一時的に停止する「一時停止」である。また、上側の接触位置の押圧量が「２」、且つ、下側の接触位置の押圧量が「３」の場合、動画像の制御内容は、動画像の再生方向を逆方向とするとともに再生速度を１倍とする「逆方向１倍速」である。
また、上側の接触位置の押圧量が「３」、且つ、下側の接触位置の押圧量が「１」の場合、動画像の制御内容は、動画像の再生方向を順方向とするとともに再生速度を０．５倍とする「順方向０．５倍速」である。また、上側の接触位置の押圧量が「３」、且つ、下側の接触位置の押圧量が「２」の場合、動画像の制御内容は、動画像の再生方向を順方向とするとともに再生速度を１倍とする「順方向１倍速」である。また、上側の接触位置の押圧量が「３」、且つ、下側の接触位置の押圧量が「３」の場合、動画像の制御内容は、動画像の再生を一時的に停止する「一時停止」である。
【００４５】
なお、上記した組み合わせテーブル＜左右＞や組み合わせテーブル＜上下＞の内容は、一例であってこれに限られるものではなく、適宜任意に変更可能である。
【００４６】
また、再生処理（図３参照）では、再生制御部８ｂは、上記したステップＳ６〜Ｓ８の処理に変えて、ステップＳ５にて特定された２つの接触位置の位置関係に基づいて、使用する組み合わせテーブル（例えば、組み合わせテーブル＜左右＞等）を特定する。そして、再生制御部８ｂは、特定された組み合わせテーブルを用いて、２つの接触位置における押圧量の関係性に応じた再生方向及び再生速度を特定した後、特定された再生方向及び再生速度となるように、再生フレームレートや間引き率を制御して動画像を再生させる（ステップＳ９）。
【００４７】
従って、変形例１によれば、タッチパネル６ａ上の複数の接触位置における押圧量の組み合わせに基づいて、動画像の再生を制御することができ、上記実施形態と同様に、例えば、動画像の再生方向や再生速度を変更したい場合等に、タッチパネル６ａ上のユーザによる接触位置を移動させることなく、ユーザがタッチパネル６ａ上の複数の接触位置における押圧の荷重を調整するだけで、動画像の再生方向や再生速度を容易に変更することができる。
【００４８】
なお、上記実施形態及び変形例１における再生処理にて、再生制御部８ｂによる動画像の再生の制御は、当該動画像が通常の再生速度で再生されている状態にて行われ、例えば、タッチパネル６ａ上の２つの位置が同時に接触されたと判定されると（ステップＳ２；ＹＥＳ）、動画像の再生を一時停止させるようにしたが（ステップＳ３）、一例であってこれに限られるものではない。例えば、動画像の再生を停止した状態にて、タッチパネル６ａ上の２つの位置が同時に接触され、これら２つの接触位置の押圧量に差がない場合に、動画像を通常の再生速度で再生するように制御しても良い。
【００４９】
＜変形例２＞
以下に、撮像装置１００の変形例２について説明する。
変形例２では、再生制御部８ｂは、複数（２つ）の接触位置における押圧量の大小関係に基づいて、動画像（コンテンツ）の出力を制御する。具体的には、再生制御部８ｂは、再生処理にて、タッチパネル６ａ上のユーザにより同時に接触されている２つの接触位置における押圧検出信号の大小関係を特定し、特定された大小関係に応じて動画像の再生方向及び再生速度を制御する。
【００５０】
例えば、押圧量検出部８ａは、タッチパネル６ａから出力された各接触位置のＸＹ座標に係る位置信号及び押圧検出信号が入力されると、入力された押圧検出信号を押圧量として取得する。そして、押圧量検出部８ａは、各接触位置のＸＹ座標に係る位置信号及び押圧検出信号を再生制御部８ｂに出力する。
再生制御部８ｂは、２つの接触位置の位置信号に基づいて、これら２つの接触位置の位置関係（例えば、左右に並んだ位置関係等）を特定する。そして、再生制御部８ｂは、２つの接触位置の押圧検出信号の大小関係を特定し、特定された大小関係に応じて動画像の再生方向及び再生速度を制御する。例えば、再生制御部８ｂは、右側の接触位置の押圧検出信号が左側の接触位置の押圧検出信号に対して所定の閾値以上大きい場合には、再生方向を順方向とするとともに再生速度を２倍とし、また、左側の接触位置の押圧検出信号が右側の接触位置の押圧検出信号に対して所定の閾値以上大きい場合には、再生方向を逆方向とするとともに再生速度を２倍とし、右側と左側とで接触位置の押圧検出信号の差が所定の閾値よりも小さい場合には、再生方向を順方向とするとともに再生速度を１倍とする。
なお、詳細な説明は省略するが、２つの接触位置が上下に並んだ位置関係の場合、上記実施形態や変形例１と同様に、所謂、スロー送りやスロー戻しの状態となるように動画像の再生方向や再生速度を制御する。
【００５１】
そして、再生処理（図３参照）では、再生制御部８ｂは、上記したステップＳ６〜Ｓ８の処理に変えて、２つの接触位置における押圧検出信号の大小関係に応じた再生方向及び再生速度を特定した後、特定された再生方向及び再生速度となるように、再生フレームレートや間引き率を制御して動画像を再生させる（ステップＳ９）。
【００５２】
従って、変形例２によれば、タッチパネル６ａ上の複数の接触位置における押圧量の大小関係に基づいて、動画像の再生を制御することができ、上記実施形態と同様に、例えば、動画像の再生方向や再生速度を変更したい場合等に、タッチパネル６ａ上のユーザによる接触位置を移動させることなく、ユーザがタッチパネル６ａ上の複数の接触位置における押圧の荷重を調整するだけで、動画像の再生方向や再生速度を容易に変更することができる。
【００５３】
＜変形例３＞
以下に、撮像装置１００の変形例３について説明する。
変形例３は、例えば、図５（ａ）等に示すように、ユーザの一本の指（例えば、人差し指等）によりタッチパネル６ａが接触される場合である。
【００５４】
この変形例３の場合、押圧量検出部８ａは、タッチパネル６ａ上のユーザにより接触されている一の接触領域Ａ内における複数の押圧量の分布を複数の接触位置における押圧量として検出する。具体的には、タッチパネル６ａから一の接触領域Ａに対応する複数の位置信号及び押圧検出信号が出力されて押圧量検出部８ａに入力されると、押圧量検出部８ａは、入力された複数の位置信号に基づいて、当該一の接触領域Ａ内を所定方向（例えば、ｙ軸方向やｘ軸方向等）に延在する基準線Ｌで複数の部分領域（例えば、左右或いは上下の部分領域等）Ｂに分割する。そして、押圧量検出部８ａは、複数の部分領域Ｂに対応する少なくとも一の押圧検出信号の代表値（例えば、アナログ値の平均値や最大値等）をそれぞれ算出する（図５（ｂ）及び図５（ｃ）参照）。
【００５５】
再生制御部８ｂは、押圧量検出部８ａにより検出された一の接触領域Ａ内における複数の押圧量の分布に基づいて、動画像の再生を制御する。具体的には、再生制御部８ｂは、複数の部分領域（例えば、左右の部分領域等）Ｂの押圧検出信号（代表値）の大小関係を特定し、特定された大小関係に応じて動画像の再生方向及び再生速度を制御する。例えば、再生制御部８ｂは、右側の部分領域Ｂの押圧検出信号が左側の部分領域Ｂの押圧検出信号に対して所定の閾値以上大きい場合には、再生方向を順方向とするとともに再生速度を２倍とし、また、左側の部分領域Ｂの押圧検出信号が右側の部分領域Ｂの押圧検出信号に対して所定の閾値以上大きい場合には、再生方向を逆方向とするとともに再生速度を２倍とし、右側と左側とで部分領域Ｂの押圧検出信号の差が所定の閾値よりも小さい場合には、再生方向を順方向とするとともに再生速度を１倍とする。
なお、詳細な説明は省略するが、２つの部分領域Ｂ、Ｂが上下に並んだ位置関係の場合、上記実施形態や変形例１、２と同様に、所謂、スロー送りやスロー戻しの状態となるように動画像の再生方向や再生速度を制御する。
【００５６】
そして、再生処理（図３参照）では、再生制御部８ｂは、上記したステップＳ６〜Ｓ８の処理に変えて、２つの部分領域における押圧検出信号（代表値）の大小関係に応じた再生方向及び再生速度を特定した後、特定された再生方向及び再生速度となるように、再生フレームレートや間引き率を制御して動画像を再生させる（ステップＳ９）。
また、再生制御部８ｂは、タッチパネル６ａ上のユーザの一本の指による接触が解除されると（ステップＳ１０；ＹＥＳ）、上記実施形態や変形例１、２と同様に、接触が解除されたタイミングでの２つの部分領域Ｂ、Ｂの押圧検出信号（代表値）の大小関係に応じた再生方向及び再生速度を維持したまま動画像を再生させる制御を行う。
【００５７】
なお、押圧量検出部８ａは、上記実施形態や変形例１と同様に、算出された各部分領域Ｂの押圧検出信号（代表値）を３段階のデジタル値である押圧量「１」〜「３」に変換し、再生制御部８ｂは、２つの部分領域Ｂ、Ｂの押圧量「１」〜「３」に応じて、動画像の再生方向や再生速度を制御しても良い。
【００５８】
従って、変形例３によれば、ユーザの一本の指によりタッチパネル６ａが接触される場合であっても、タッチパネル６ａ上のユーザにより接触されている一の接触領域Ａ内における複数の押圧量の分布に基づいて、動画像の再生を制御することができ、上記実施形態と同様に、例えば、動画像の再生方向や再生速度を変更したい場合等に、タッチパネル６ａ上のユーザによる接触位置を移動させることなく、動画像の再生を制御することができる。
【００５９】
なお、上記実施形態や変形例１、２では、２つの接触位置の位置関係として、左右或いは上下に並んだ関係を例示し、変形例３では、２つの部分領域Ｂ、Ｂの位置関係として、左右或いは上下に並んだ関係を例示したが、一例であってこれに限られるものではなく、例えば、「左と上」、「左と下」、「右と上」、「右と下」、「左上と右下」、「右上と左下」など適宜任意に変更可能である。この場合、押圧量「１」〜「３」の差や組み合わせ、押圧検出信号の差の算出も、上記と同様の位置関係で行われる。
【００６０】
また、上記実施形態や各変形例で例示した、押圧量の差や組み合わせ、押圧検出信号の差に応じた動画像の再生方向及び再生速度の制御内容は、一例であってこれに限られるものではなく、適宜任意に変更可能である。
【００６１】
さらに、上記実施形態や変形例１、２では、タッチパネル６ａ上のユーザにより同時に接触されている複数の接触位置として、２つの接触位置を例示したが、一例であってこれに限られるものではなく、接触位置を３つ以上としても良い。
例えば、左、中、右の３つの接触位置の場合、中の接触位置の押圧量が「１」であると動画像の再生速度を通常の再生速度に対して高速とし、上記実施形態や各変形例と同様に、左右の接触位置の押圧量の関係性に応じて動画像の再生速度や再生方向を制御するようにしても良い。一方、中の接触位置の押圧量が「２」以上であると動画像の再生速度を通常の再生速度に対して低速とし、上記実施形態や各変形例で例示した上下に並んだ位置関係に対応する処理内容を援用して、左右の接触位置の押圧量の関係性に応じて動画像の再生速度や再生方向を制御するようにしても良い。
【００６２】
また、上記実施形態や各変形例では、動画像の再生の制御内容として、動画像の再生速度や再生方向の制御を例示したが、一例であってこれに限られるものではなく、例えば、複数の接触位置の押圧量の関係性に基づいて、ズームインやズームアウトを切り替えたり、当該ズームインやズームアウトの倍率を変更しても良い。
【００６３】
さらに、撮像装置１００の構成は、上記実施形態に例示したものは一例であり、これに限られるものではない。また、出力制御装置として、撮像装置１００を例示したが、一例であってこれに限られるものではなく、撮像機能を具備するか否かは適宜任意に変更可能である。
また、コンテンツの出力制御として、動画像を再生する際の制御を例示したが、一例であってこれに限られるものではなく、適宜任意に変更可能である。例えば、複数の静止画像をスライドショーで表示する際に、切り替え速度や切り替え方向等を制御しても良いし、また、ｗｅｂページやアプリケーション画面を表示する際に、スクロール速度やスクロール方向等を制御しても良いし、音楽などを発する際に、楽曲の切り替え速度や切り替え方向や音量等を制御しても良い。これらの場合にも、タッチパネル６ａ上のユーザによる接触位置を移動させることなく、コンテンツの出力を制御することができる。
【００６４】
加えて、上記実施形態にあっては、検出手段、出力制御手段としての機能を、中央制御部１の制御下にて、押圧量検出部８ａ、再生制御部８ｂが駆動することにより実現される構成としたが、これに限られるものではなく、中央制御部１のＣＰＵによって所定のプログラム等が実行されることにより実現される構成としても良い。
すなわち、プログラムメモリ（図示略）に、検出処理ルーチン、出力制御処理ルーチンを含むプログラムを記録しておく。そして、検出処理ルーチンにより中央制御部１のＣＰＵに、タッチパネル６ａ上のユーザにより同時に接触されている複数の接触位置における押圧量をそれぞれ検出する機能を実現させるようにしても良い。また、出力制御処理ルーチンにより中央制御部１のＣＰＵに、検出された複数の接触位置における押圧量の関係性に基づいて、コンテンツ（動画像）の出力を制御する機能を実現させるようにしても良い。
【００６５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザにより押圧操作されるタッチパネルと、
前記タッチパネル上のユーザにより同時に接触されている複数の接触位置における押圧量をそれぞれ検出する検出手段と、
前記検出手段により検出された前記複数の接触位置における押圧量の関係性に基づいて、コンテンツの出力を制御する出力制御手段と、
を備えることを特徴とする出力制御装置。
＜請求項２＞
前記出力制御手段は、前記検出手段により検出された前記複数の接触位置における押圧量の大小関係に基づいて、コンテンツの出力を制御することを特徴とする請求項１に記載の出力制御装置。
＜請求項３＞
前記出力制御手段は、前記検出手段により検出された前記複数の接触位置における押圧量の差に基づいて、コンテンツの出力を制御することを特徴とする請求項１又は２に記載の出力制御装置。
＜請求項４＞
前記出力制御手段は、前記検出手段により検出された前記複数の接触位置における押圧量の組み合わせに基づいて、コンテンツの出力を制御することを特徴とする請求項１に記載の出力制御装置。
＜請求項５＞
前記出力制御手段は、前記検出手段により検出された前記複数の接触位置における押圧量の関係性に基づいて、出力されるコンテンツの送り方向を制御することを特徴とする請求項１〜４の何れか一項に記載の出力制御装置。
＜請求項６＞
前記出力制御手段は、前記検出手段により検出された前記複数の接触位置における押圧量の関係性に基づいて、出力されるコンテンツの送り速度を制御することを特徴とする請求項１〜４の何れか一項に記載の出力制御装置。
＜請求項７＞
前記検出手段は、前記タッチパネルがユーザにより接触されている間、前記複数の接触位置における押圧量をそれぞれ逐次検出し、
前記出力制御手段は、前記検出手段により逐次検出される前記複数の接触位置における押圧量の関係性の変化に応じて、コンテンツの出力を逐次制御することを特徴とする請求項１〜６の何れか一項に記載の出力制御装置。
＜請求項８＞
前記出力制御手段は、更に、
前記タッチパネル上のユーザにより同時に接触されている前記複数の接触位置の関係性に基づいて、コンテンツの出力を制御することを特徴とする請求項１〜７の何れか一項に記載の出力制御装置。
＜請求項９＞
前記検出手段は、前記タッチパネル上のユーザにより同時に接触されている複数の接触領域とそれぞれ対応付けられている前記複数の接触位置における押圧量を検出することを特徴とする請求項１〜８の何れか一項に記載の出力制御装置。
＜請求項１０＞
前記検出手段は、前記複数の接触位置における押圧量として、前記タッチパネル上のユーザにより接触されている一の接触領域内における複数の押圧量の分布を検出し、
前記出力制御手段は、前記検出手段により検出された前記一の接触領域内における複数の押圧量の分布に基づいて、コンテンツの出力を制御することを特徴とする請求項１〜８の何れか一項に記載の出力制御装置。
＜請求項１１＞
ユーザにより押圧操作されるタッチパネルを備える出力制御装置を用いた出力制御方法であって、
前記タッチパネル上のユーザにより同時に接触されている複数の接触位置における押圧量をそれぞれ検出する処理と、
検出された前記複数の接触位置における押圧量の関係性に基づいて、コンテンツの出力を制御する処理と、
を含むことを特徴とする出力制御方法。
＜請求項１２＞
ユーザにより押圧操作されるタッチパネルを備える出力制御装置のコンピュータに、
前記タッチパネル上のユーザにより同時に接触されている複数の接触位置における押圧量をそれぞれ検出する機能と、
検出された前記複数の接触位置における押圧量の関係性に基づいて、コンテンツの出力を制御する機能と、
を実現させることを特徴とするプログラム。
【符号の説明】
【００６７】
１００    撮像装置
１        中央制御部
５        表示部
５ａ      表示パネル
６        操作入力部
６ａ      タッチパネル
７        スピーカ部
８        動作処理部
８ａ      押圧量検出部
８ｂ      再生制御部
【図１】
2017224220.tif 000003
【図２】
2017224220.tif 000004
【図３】
2017224220.tif 000005
【図４】
2017224220.tif 000006
【図５】
2017224220.tif 000007